(57)【特許請求の範囲】
【請求項１】
客による決済処理に用いられる決済装置であって、
幅方向の両側に端部を備え、硬貨および紙幣を収納し収納した硬貨および紙幣の出金を行う入出金部を内部に備えるとともに、前記決済処理に係る内容のレシートを印字するプリンタおよび前記プリンタで印字した前記レシートを排出するレシート排出部を備える筐体と、
前記筐体に設けられ、硬貨が投入される硬貨投入口と、
前記硬貨投入口と前記筐体の幅方向に連接して設けられるとともに前記筐体の幅方向の中央部をまたがって前記幅方向に長い形状を有し、前記硬貨投入口に投入される硬貨が一時的に載置される金銭載置部と、
釣銭として払い出された硬貨を受ける硬貨排出皿と、
前記硬貨排出皿と前記筐体の幅方向に並んだ位置に設けられ、内部に収容すべきではない硬貨を受けるリジェクト皿と、
紙幣を受ける紙幣投入口および紙幣を排出する紙幣排出口と、
を備え、
前記硬貨投入口および前記金銭載置部、前記硬貨排出皿および前記リジェクト皿、前記紙幣投入口および前記紙幣排出口は、それぞれ前記筐体の高さ方向の位置が異なる位置に設けられ、
前記硬貨排出皿は前記筐体の幅方向の一の端部に寄せて設けられ、前記硬貨投入口および前記金銭載置部のいずれか一方は、前記硬貨排出皿が設けられた前記筐体の幅方向の一の端部とは反対側の端部に寄せて設けられ、
前記紙幣投入口および前記紙幣排出口は、前記硬貨投入口および前記金銭載置部の少なくともいずれか他方、前記硬貨排出皿、前記リジェクト皿と、それぞれ前記筐体の幅方向の位置が重なる位置に設けられ、
前記レシート排出部は、前記硬貨投入口および前記金銭載置部、前記硬貨排出皿および前記リジェクト皿、前記紙幣投入口および前記紙幣排出口のいずれよりも上方の位置に設けられる、
ことを特徴とする決済装置。
【請求項２】
前記金銭載置部に載置した硬貨を前記筐体の幅方向に滑らせて前記硬貨投入口に投入することができる、
ことを特徴とする請求項１に記載の決済装置。
【請求項３】
前記金銭載置部は、硬貨が一時的に載置される金銭載置面を有し、
前記金銭載置面は、前記金銭載置部の使用態様を示唆する表示を備えている、
ことを特徴とする請求項１または２に記載の決済装置。
【請求項４】
前記レシート排出部は、前記硬貨投入口および前記金銭載置部、前記硬貨排出皿および前記リジェクト皿、前記紙幣投入口および前記紙幣排出口と前記筐体の高さ方向の位置が異なる位置に設けられ、
前記レシート排出部は、前記硬貨排出皿、前記紙幣投入口および前記紙幣排出口と前記筐体の幅方向の位置が重なる位置に設けられる、
ことを特徴とする請求項１乃至３のいずれか一に記載の決済装置。
【請求項５】
前記金銭載置部は、一端を前記硬貨投入口と連接するとともに、他端を前記反対側の端部に寄せて設けられる、
ことを特徴とする請求項１乃至４のいずれか一に記載の決済装置。
【発明の詳細な説明】
【技術分野】
【０００１】
本発明の実施形態は、決済装置に関する。
【背景技術】
【０００２】
従来からスーパーマーケットなどで使用されているＰＯＳ（Point  Of  Sales）端末などには、客から預かった金銭をドロアにしまう前に一時的に置いて確認するためのエリアが設けられている。このようなエリアは、吟味台や検銭台と呼ばれている。このようなエリアを設けることにより、店員は、金銭授受時におけるトラブルを回避し、迅速で正確なレジ業務を遂行することができるものとなっている。
【０００３】
近年、スーパーマーケットなどでは、店員によらず客自身で決済可能にするセルフチェックアウト装置（セルフレジ）が用いられている。セルフレジにおいては、客が硬貨の投入動作を一度で完了できるよう、複数枚の硬貨を一度に受け入れ可能とする硬貨投入口が設けられている。
【０００４】
ところで、上述のようなセルフレジを利用する客の中には、決済時において、財布の中の硬貨をセルフレジ上の平坦なエリアなどに一旦並べて確認した後、所望の硬貨を硬貨投入口に投入する客が存在する。
【０００５】
このような利用法の場合、客は、セルフレジ上の平坦なエリアなどに硬貨を並べた後に、所望の硬貨を持ち直してから硬貨投入口に投入する必要がある。
【発明の概要】
【発明が解決しようとする課題】
【０００６】
本発明が解決しようとする課題は、硬貨を並べた後に硬貨投入口へ入れる作業を容易に行うことができる決済装置を提供することである。
【課題を解決するための手段】
【０００７】
実施形態の決済装置は、客による決済処理に用いられる決済装置であって、幅方向の両側に端部を備え、硬貨および紙幣を収納し収納した硬貨および紙幣の出金を行う入出金部を内部に備えるとともに、前記決済処理に係る内容のレシートを印字するプリンタおよび前記プリンタで印字した前記レシートを排出するレシート排出部を備える筐体と、前記筐体に設けられ、硬貨が投入される硬貨投入口と、前記硬貨投入口と前記筐体の幅方向に連接して設けられるとともに前記筐体の幅方向の中央部をまたがって前記幅方向に長い形状を有し、前記硬貨投入口に投入される硬貨が一時的に載置される金銭載置部と、釣銭として払い出された硬貨を受ける硬貨排出皿と、前記硬貨排出皿と前記筐体の幅方向に並んだ位置に設けられ、内部に収容すべきではない硬貨を受けるリジェクト皿と、紙幣を受ける紙幣投入口および紙幣を排出する紙幣排出口と、を備え、前記硬貨投入口および前記金銭載置部、前記硬貨排出皿および前記リジェクト皿、前記紙幣投入口および前記紙幣排出口は、それぞれ前記筐体の高さ方向の位置が異なる位置に設けられ、前記硬貨排出皿は前記筐体の幅方向の一の端部に寄せて設けられ、前記硬貨投入口および前記金銭載置部のいずれか一方は、前記硬貨排出皿が設けられた前記筐体の幅方向の一の端部とは反対側の端部に寄せて設けられ、前記紙幣投入口および前記紙幣排出口は、前記硬貨投入口および前記金銭載置部の少なくともいずれか他方、前記硬貨排出皿、前記リジェクト皿と、それぞれ前記筐体の幅方向の位置が重なる位置に設けられ、前記レシート排出部は、前記硬貨投入口および前記金銭載置部、前記硬貨排出皿および前記リジェクト皿、前記紙幣投入口および前記紙幣排出口のいずれよりも上方の位置に設けられる。
【図面の簡単な説明】
【０００８】
【図１】図１は、実施形態にかかるセルフチェックアウト装置の外観を示す正面図である。
【図２】図２は、決済端末の扉を開放とした状態の外観を示す斜視図である。
【図３】図３は、セルフチェックアウト装置を上方から見た状態の外観を示す斜視図である。
【図４】図４は、硬貨投入口付近の外観を示す平面図である。
【図５】図５は、セルフチェックアウト装置のハードウェア構成を示すブロック図である。
【図６】図６は、決済処理にかかる機能を示す機能ブロック図である。
【図７】図７は、決済処理の流れを示すフローチャートである。
【発明を実施するための形態】
【０００９】
以下に添付図面を参照して、決済装置の実施形態を詳細に説明する。本実施形態は、決済装置として、顧客が自身で商品登録および決済を行うためのセルフチェックアウト装置の決済端末を適用した例について説明するものである。
【００１０】
図１は、実施形態にかかるセルフチェックアウト装置１００の外観を示す正面図である。図１に示すように、セルフチェックアウト装置１００は、決済端末１と、籠置き棚２と、袋詰め棚３とを備えている。決済端末１は、入出金部４、読取部５、表示操作部６、および各部を制御する制御部７（図５参照）を備えている。
【００１１】
決済端末１は、第１筐体１１と第２筐体１２とを備えている。第１筐体１１は、開放および閉止可能な扉１１１を備える。扉１１１は、ヒンジ部１１１ａを中心に上下方向に回動する。第１筐体１１は、内部に、入出金部４を構成する紙幣釣銭機（紙幣入出金装置）４１および硬貨釣銭機（硬貨入出金装置）４２（いずれも図２参照）を収納している。第２筐体１２は、内部に、制御部７を収納している。
【００１２】
読取部５は、商品を特定するために、商品の外観や商品に付された符号（バーコードなど）を読み取るスキャナ５０を備えている。また、読取部５は、制御部７が実行する商品販売データ処理に係るレシートを印字するプリンタ５１を備えている。プリンタ５１は、排出されたレシートを支持するレシート排出台５１ａを第１筐体１１から突出させている。すなわち、レシート排出台５１ａは、第１筐体１１に突出して設けられた凸形状の凸部である。さらに、読取部５は、制御部７が実行する決済処理に係るクレジットカードの読取りを行うカードリーダ５２を備えている。
【００１３】
表示操作部６は、モニタ６１と、タッチパネル６２とを備える。モニタ６１は、制御部７の制御に従って画像を表示する。タッチパネル６２は、モニタ６１の表面に設けられており、オペレータが触れた位置に基づく情報を制御部７に出力する。
【００１４】
籠置き棚２は、籠内の商品を取り出して読取部５にかざす動作を行う際に、籠の置き場とする物置台である。籠置き棚２は、決済端末１の一側方に設けられている。
【００１５】
袋詰め棚３は、スキャン後の商品を袋詰めするための台である。袋詰め棚３は、決済端末１の他側方（籠置き棚２の反対側）に設けられている。
【００１６】
ここで、図２は決済端末１の扉１１１を開放とした状態の外観を示す斜視図である。図２に示すように、第１筐体１１は、扉１１１を上方に回動させることで第１筐体１１の内部を開放し、紙幣釣銭機４１および硬貨釣銭機４２を露出する。紙幣釣銭機４１と硬貨釣銭機４２とは、第１筐体１１内に重ねて収納されており、紙幣釣銭機４１が硬貨釣銭機４２の下に位置している。
【００１７】
紙幣釣銭機４１は、取り込んだ紙幣の正否を判別して正貨を収納し、釣銭としての紙幣を出金する。硬貨釣銭機４２は、取り込んだ硬貨の正否を判別して収納し、釣銭としての硬貨を出金する。紙幣釣銭機４１および硬貨釣銭機４２は、収納した貨幣の金額を制御部７へ連絡する。また、紙幣釣銭機４１および硬貨釣銭機４２は、制御部７から、釣銭として出金すべき金額の連絡を受ける。
【００１８】
制御部７は、決済端末１が備える各部（入出金部４、読取部５、および表示操作部６）を統括的に制御する。制御部７は、読取部５からコード情報を取得する。また、制御部７は、表示操作部６のモニタ６１に表示させる情報を出力し、タッチパネル６２からオペレータが行った操作の情報を取得する。さらに、制御部７は、入出金部４への入金を把握し、入出金部４に出金の指示を行う。
【００１９】
ここで、図３はセルフチェックアウト装置１００を上方から見た状態の外観を示す斜視図である。図３に示すように、第１筐体１１は、上面の一端部側に硬貨釣銭機４２に入金する硬貨の投入口（硬貨投入口）４２１を設けている。
【００２０】
また、第１筐体１１（入出金部４）は、金銭載置部７０（図４を参照）および硬貨投入口４２１が設けられた奥側から手前側に向けて、硬貨排出皿４２２およびリジェクト皿４２３と、紙幣投入口４１１および紙幣排出口４１２とを順に階段状に設けている。すなわち、硬貨投入口４２１が設けられている面が上段、硬貨排出皿４２２およびリジェクト皿４２３が設けられている面が上段より下方に位置する中段、紙幣投入口４１１および紙幣排出口４１２が設けられている面が中段より下方に位置する下段である。また、中段に位置する硬貨排出皿４２２は、上段に位置する金銭載置部７０および硬貨投入口４２１より第１筐体１１の奥行方向手前側に位置している。また、下段に位置する紙幣投入口４１１および紙幣排出口４１２は、中段に位置する硬貨排出皿４２２より第１筐体１１の奥行方向手前側に位置している。このように各種の投入口や排出口（排出皿）を階段状に配設することにより、奥側から手前にかけて全ての投入口や排出口（排出皿）を見渡すことができるようになっている。
【００２１】
硬貨排出皿４２２は、硬貨釣銭機４２から排出された硬貨を受ける受け皿である。リジェクト皿４２３は、変形硬貨、外国銭、偽貨等の硬貨釣銭機４２内に収容すべきではない硬貨（リジェクト硬貨）を受ける受け皿である。硬貨投入口４２１と硬貨排出皿４２２とリジェクト皿４２３との位置関係は、硬貨釣銭機４２の構造に依存している。
【００２２】
図３に示すように、硬貨排出皿４２２は、硬貨投入口４２１が設けられた決済端末１の幅方向端部とは反対側端部に設けられている。このように硬貨投入口４２１と硬貨排出皿４２２とは、高さ方向と幅方向と奥行き方向においてそれぞれずらして設けられているので、硬貨排出皿４２２に対する視認性、操作性が良好なものとなっている。なお、リジェクト皿４２３は、硬貨投入口４２１の下方位置において硬貨排出皿４２２に並べられて設けられている。
【００２３】
紙幣投入口４１１は、紙幣釣銭機４１に入金する紙幣の投入口である。紙幣排出口４１２は、紙幣釣銭機４１から排出される紙幣の排出口である。紙幣投入口４１１と紙幣排出口４１２との位置関係は、紙幣釣銭機４１の構造に依存している。
【００２４】
加えて、硬貨投入口４２１と硬貨排出皿４２２とリジェクト皿４２３と紙幣投入口４１１と紙幣排出口４１２とのそれぞれの近傍には、操作手順やエラーを報知するためのＬＥＤ４３〜４６が設けられている。なお、ＬＥＤ４３〜４６が設けられる場所は各部の近傍であれば特に限定されない。また、ＬＥＤ４３〜４６の個数や配列も特に限定されない。
【００２５】
次に、硬貨投入口４２１および硬貨投入口４２１付近の構成について説明する。ここで、図４は硬貨投入口４２１付近の外観を示す平面図である。図４に示すように、硬貨投入口４２１は、外側から内側へ向かって下る漏斗状の傾斜面４２１ａと、傾斜面４２１ａの最下部に設けられた孔４２１ｂとを有している。孔４２１ｂは、決済端末１の正面に立った客から見て縦長の長孔である。すなわち、孔４２１ｂの長手方向は、硬貨を前記硬貨投入口に向けて滑らせる方向と交わる方向である。孔４２１ｂの長手方向に直交する幅方向（すなわち、硬貨を前記硬貨投入口に向けて滑らせる方向）の寸法は、複数枚の硬貨が重なって通過できる程度であり、孔４２１ｂの長手方向の寸法より短い。このような構成により、硬貨投入口４２１は、複数枚の硬貨を一括して受け入れ可能である。
【００２６】
加えて、第１筐体１１の扉１１１は、硬貨投入口４２１に対して決済端末１の幅方向に並ぶ位置に連設された金銭載置部７０を備えている。金銭載置部７０は、一般には、吟味台や検銭台と呼ばれている。金銭載置部７０は、第１筐体１１の中央部から第１筐体１１の幅方向両側にまたがって位置している。金銭載置部７０は、決済端末１の決済処理の際に、客が財布から金銭を取り出して並べ、支払いに使用する金銭を目視で確認するためのものである。
【００２７】
より詳細には、金銭載置部７０は、金銭（硬貨、紙幣）を載せる平面形状の金銭載置面７１と、案内壁７２とを備えている。なお、金銭載置面７１は、平面形状に限るものではなく、凹面形状に湾曲していても良い。また、金銭載置面７１には、プラスチックや金属で形成されたシート７１ａが貼り付けられている。シート７１ａは、載置された金銭によって金銭載置部７０が汚れたり傷ついたりするのを防止するため、金銭載置部７０と硬貨投入口４２１との接続部を隠すため、金銭載置部７０の使用態様の説明表示のために設けられている。
【００２８】
案内壁７２は、金銭載置面７１における硬貨投入口４２１と連接する辺を除く縁部に設けられている。案内壁７２は、金銭載置面７１よりも上方に突出して当該金銭載置面７１上に載置された金銭（特に、硬貨）の側部を支持する。なお、このような案内壁７２は、第１筐体１１の一部として形成されている。
【００２９】
一方、硬貨投入口４２１は、金銭載置面７１と連接する位置に、傾斜面４２１ａから連なる平面形状の連結部４２１ｃを有している。なお、連結部４２１ｃは、金銭載置面７１が凹面形状に湾曲している場合には、当該形状に合わせて成型されていることは言うまでもない。
【００３０】
このように第１筐体１１の扉１１１に凹形状で形成された金銭載置部７０は、扉１１１を上方に回動させて第１筐体１１の内部を開放した状態において、プリンタ５１のレシート排出台５１ａに干渉する位置に設けられる。そして、金銭載置部７０の凹形状部分の深さは、レシート排出台５１ａとの衝突を回避可能な深さに設定されている。
【００３１】
また、図４に示すように、第１筐体１１の金銭載置部７０近傍は、硬貨排出皿４２２をカメラ（図示せず）や客から見えやすくするため、一部をセットバックしている。すなわち、図４において、第１筐体１１は、第１筐体１１の幅方向に沿った金銭載置部７０の手前側の前面１１ｅを備える。前面１１ｅの第１筐体１１の幅方向の長さは、金銭載置部７０の第１筐体１１の幅方向の長さと略等しい。また、第１筐体１１は、第１筐体１１の幅方向に沿った硬貨投入口４２１の手前側の前面１１ｆを備える。そして、前面１１ｅは、前面１１ｆより第１筐体１１の奥行方向奥側に位置する構成となっている。また、硬貨排出皿４２２の第１筐体１１の奥行方向手前側の縁４２２ａは、前面１１ｅより第１筐体１１の奥行方向手前側に位置している。
【００３２】
さらに、第１筐体１１における金銭載置部７０の下部であって硬貨排出皿４２２の上方には、発光により光を照射する照射部であるＬＥＤ４７（図５参照）が設けられている。
【００３３】
また、決済端末１は、当該金銭載置面７１の上または当該金銭載置面７１の周辺に置かれた物体（財布や硬貨など）を検出する検出部であるセンサ７３（図５参照）を備えている。センサ７３としては、光センサ、磁気センサ、画像センサなどが挙げられる。光センサは、例えば、当該光センサの光軸が金銭載置面７１を這うように配され、光軸が遮られると金銭載置面７１上に物体があると判定する。磁気センサは、例えば、金銭載置面７１の裏側にあたる位置に配され、金属を検知すると金銭載置面７１上に物体があると判定する。画像センサは、例えば、金銭載置面７１の上方に配され、画像認識により金銭載置面７１上に物体があると判定する。
【００３４】
このような構成により、金銭載置部７０は、連接された硬貨投入口４２１への硬貨投入を可能にしている。具体的には、客は、決済端末１の決済処理の際に、財布から支払いに用いる金銭（硬貨、紙幣）を取り出して金銭載置部７０の金銭載置面７１に並べて確認する。次に、客は、並べた硬貨を硬貨投入口４２１に向けて金銭載置面７１上を滑らせて運び、硬貨投入口４２１に落下させて支払いを行う。なお、この際、金銭載置部７０の案内壁７２は、硬貨の側部を支持することで、金銭載置面７１から硬貨が落下するのを阻止する。
【００３５】
続いて、セルフチェックアウト装置１００のハードウェア構成について説明する。図５は、セルフチェックアウト装置１００のハードウェア構成を示すブロック図である。
【００３６】
図５に示すように、決済端末１は、制御部７、Ｉ／Ｏ機器制御部８１、および通信Ｉ／Ｆ８２を備えている。通信Ｉ／Ｆ（インタフェース）８２は、自装置を袋詰め棚３と通信可能に接続する。Ｉ／Ｏ機器制御部８１は、制御部７に、紙幣釣銭機４１、硬貨釣銭機４２、ＬＥＤ４３−４７、スキャナ５０、プリンタ５１、カードリーダ５２、モニタ６１、タッチパネル６２、センサ７３を接続する。
【００３７】
一方、袋詰め棚３は、Ｉ／Ｏ機器制御部３１、通信Ｉ／Ｆ３２、および計量器３３を、さらに備えている。計量器３３は、袋詰め棚３に載せられた物品の重さを量る。通信Ｉ／Ｆ（インタフェース）３２は、自装置を決済端末１と通信可能に接続する。すなわち、Ｉ／Ｏ機器制御部３１は、通信Ｉ／Ｆ３２，８２を介して、制御部７に計量器３３を接続する。計量器３３は、不正防止を目的として、袋詰め棚３上の物品の重さを量るものである。
【００３８】
制御部７は、ＣＰＵ（Central  Processing  Unit）、ＲＯＭ（Read  Only  Memory）、ＲＡＭ（Random  Access  Memory）を有している。ＲＯＭは、ＣＰＵが実行する各種コンピュータプログラムや各種データを記憶する。ＲＡＭは、ＣＰＵがコンピュータプログラムを実行する際に一時的にデータやコンピュータプログラムを記憶する。制御部７は、ＣＰＵがＲＯＭから読み出したコンピュータプログラムをＲＡＭに展開して実行することにより、各部を統括的に制御する。
【００３９】
なお、本実施形態のセルフチェックアウト装置１００で実行されるコンピュータプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４０】
また、本実施形態のセルフチェックアウト装置１００で実行されるコンピュータプログラムを、インターネット等のネットワークに接続されたコンピュータ上に格納し、ネットワーク経由でダウンロードさせることにより提供するように構成しても良い。また、本実施形態のセルフチェックアウト装置１００で実行されるコンピュータプログラムをインターネット等のネットワーク経由で提供または配布するように構成しても良い。
【００４１】
また、本実施形態のセルフチェックアウト装置１００で実行されるコンピュータプログラムを、ＲＯＭ等に予め組み込んで提供するように構成してもよい。
【００４２】
次に、セルフチェックアウト装置１００の決済端末１の制御部７が実行する各種の処理のうち、本実施形態の特徴的な機能である決済処理について説明する。ここで、図６は決済処理にかかる機能を示す機能ブロック図、図７は決済処理の流れを示すフローチャートである。
【００４３】
決済処理では、決済端末１の制御部７は、コンピュータプログラムに従うことにより、図６に示すように、照射手段９１と、報知手段９２と、を機能部として実現する。
【００４４】
照射手段９１は、硬貨釣銭機４２の出金のタイミングに応じて、ＬＥＤ４７を発光させて光の照射を実行する。
【００４５】
報知手段９２は、支払いが終わった段階で、センサ７３によって金銭載置面７１の上または金銭載置面７１の周辺に置かれた物体（財布や硬貨など）を検出した場合、その旨を報知する。
【００４６】
決済処理について、図７に示すフローチャートを参照して説明する。図７に示すように、まず、決済端末１の制御部７は、商品登録処理を実行する（ステップＳ１）。
【００４７】
ここで、商品登録処理について説明する。客がスキャナ５０に商品コードが符号化された画像をかざすと、スキャナ５０は、符号を読み取って商品コードを出力する。制御部７は、スキャナ５０が商品コードを出力すると、例えば自装置ないしオンライン接続された外部装置の記憶部に記憶されたＰＬＵ（Price  Look  Up）ファイルを参照する。ＰＬＵファイルは、商品コードに関連付けて、商品の名称や価格などを、例えばテーブルの形式で記録したものである。
【００４８】
次いで、制御部７は、ＰＬＵファイルに記録された情報のうち、スキャナ５０が読み取った商品コードに関連付けられた情報を得る。そして、これらの情報を、商品の情報として記録するとともに、商品の価格を購入金額に加算する。これにより、商品登録が行われる。
【００４９】
次いで、決済端末１の制御部７は、客が商品登録および袋詰めまで終えると（ステップＳ２のＹｅｓ）、決済処理を行う（ステップＳ３）。決済端末１の制御部７は、客が商品登録等の処理が終了していない場合（ステップＳ２のＮｏ）、商品登録処理（ステップＳ１）に戻る。
【００５０】
ここで、決済処理について説明する。決済端末１の制御部７は、客から決済に進むための操作を受けると、モニタ６１に登録済みの商品の価格を合計した代金を表示する。これに伴い、決済端末１の制御部７は、客による決済操作の受け付けを開始する。
【００５１】
制御部７は、現金決済においては、紙幣釣銭機４１の紙幣投入口４１１および硬貨釣銭機４２の硬貨投入口４２１への入金があると、代金との差異（釣銭）を算出する。制御部７は、釣銭が有る場合には、紙幣釣銭機４１の紙幣排出口４１２および硬貨釣銭機４２の硬貨排出皿４２２から釣銭を出金する。
【００５２】
ここで、決済端末１の制御部７（照射手段９１）は、硬貨釣銭機４２の硬貨排出皿４２２への出金のタイミングに応じて、ＬＥＤ４７の照射を実行する（ステップＳ４）。このように硬貨釣銭機４２の出金のタイミングに応じて、ＬＥＤ４７の照射を実行することにより、硬貨排出皿４２２に排出された硬貨を客が取り忘れるのを防止することができる。
【００５３】
また、決済端末１の制御部７（報知手段９２）は、客の支払いが終わった段階で、金銭載置面７１の上または金銭載置面７１の周辺に置かれた物体（財布や硬貨など）を検出した場合（ステップＳ５のＹｅｓ）、その旨を報知する（ステップＳ６）。報知手法は、音声、画面表示、図示しないアテンダント端末に信号を出力する、などである。これにより、客が金銭載置面７１の上または金銭載置面７１の周辺に財布や硬貨などを置き忘れるのを防止することができる。決済端末１の制御部７（報知手段９２）は、物体（財布や硬貨など）を検出しない場合（ステップＳ５のＮｏ）、そのままステップＳ７に進む。
【００５４】
決済端末１の制御部７は、決済完了をもって一つの取引を終了し（ステップＳ７のＹｅｓ）、次の取引の開始を待機する状態（ステップＳ１）へ移る。
【００５５】
このように、本実施形態の決済装置によれば、客が金銭載置部７０の金銭載置面７１上の硬貨を手に取って移動させる必要はなく、金銭載置面７１上の硬貨を硬貨釣銭機４２に対する硬貨投入口４２１へ入れる作業を客が容易に行うことができる。
【００５６】
なお、本実施の形態は、決済装置として、顧客が自身で商品登録および決済を行うためのセルフチェックアウト装置１００の決済端末１を適用した例について説明したが、これに限るものではない。例えば、決済装置として、セミセルフのチェックアウトレーンに設置され、店員による商品登録の後、顧客による決済処理に用いられる会計機を適用するようにしても良い。
【００５７】
また、決済装置として、飲食店の食券などを発行する券売機（発券機）、駐車場や駅などの精算機、自動販売機などを適用することもできる。
【００５８】
なお、本実施形態では、図４に示すように、硬貨投入口４２１の左側に金銭載置部７０を連接させたが、これに限るものではない。例えば、硬貨投入口４２１が左側に配置されているような場合には、硬貨投入口４２１の右側に金銭載置部７０を連接させるようにしても良い。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１        決済装置
１１      筐体
４１      紙幣入出金装置
４２      硬貨入出金装置
４７      照射部
５１ａ    凸部
７０      金銭載置部
７１      金銭載置面
７３      検出部
９１      照射手段
９２      報知手段
１１１    扉
４１１    紙幣投入口
４１２    紙幣排出口
４２１    硬貨投入口
４２２    硬貨排出皿
【先行技術文献】
【特許文献】
【００６１】
【特許文献１】特開２０１５−１５６１３８号公報
【図１】
0006522197.tif 000002
【図２】
0006522197.tif 000003
【図３】
0006522197.tif 000004
【図４】
0006522197.tif 000005
【図５】
0006522197.tif 000006
【図６】
0006522197.tif 000007
【図７】
0006522197.tif 000008